(57)【要約】      （修正有）【課題】簡易な構造で木質系バイオマスを火炉に大量に供給可能なバイオマスバーナ及びボイラ装置を提供する。【解決手段】火炉１の炉壁２８に設けられ、バイオマスを噴出するノズル部３１と、該ノズル部を支持するバーナ支持部２９とを具備し、バイオマスは１次空気に排ガスが混合されたバイオマス用搬送媒体により前記ノズル部に搬送される。また、バイオマスは、前記ノズル部３１に接線方向から流入させ、さらに、前記ノズル部の先端部にスワラーを設ける。【選択図】図２
2013108717.tif 000002
【特許請求の範囲】
【請求項１】
火炉の炉壁に設けられ、バイオマスを噴出するノズル部と、該ノズル部を支持するバーナ支持部とを具備し、バイオマスは１次空気に排ガスが混合されたバイオマス用搬送媒体により前記ノズル部に搬送されることを特徴とするバイオマスバーナ。
【請求項２】
バイオマスは、前記ノズル部に接線方向から流入する請求項１のバイオマスバーナ。
【請求項３】
前記ノズル部の先端部にスワラーを設け、該スワラーによりバイオマスが拡散される請求項１又は請求項２のバイオマスバーナ。
【請求項４】
請求項１〜請求項３のいずれかに記載のバイオマスバーナと、微粉炭を燃焼させる微粉炭バーナとが少なくとも上下２段に設けられ、１次空気の一部を前記微粉炭バーナに微粉炭を送給する微粉炭用搬送媒体とすると共に、１次空気の他部を前記バイオマスバーナに供給する１次空気供給系と、前記火炉より排出される排ガスの一部を抽出し、前記１次空気の他部に混合させ、前記バイオマスバーナにバイオマスを送給するバイオマス用搬送媒体とする排ガス循環系とを具備することを特徴とするボイラ装置。
【請求項５】
前記微粉炭バーナが上段に設けられ、前記バイオマスバーナが下段に設けられる請求項４のボイラ装置。
【請求項６】
前記バイオマスバーナ及び前記微粉炭バーナの燃焼比率を制御する制御装置を更に具備し、該制御装置は前記火炉の燃焼比率を維持しつつ、前記バイオマスバーナの燃焼比率の増加に応じて前記微粉炭バーナの燃焼比率を減少させる請求項４又は請求項５のボイラ装置。
【請求項７】
前記炉壁に設けられ、前記火炉内に２次空気を供給可能なオーバーエアポートを更に具備する請求項４〜請求項６のうちいずれかのボイラ装置。
【発明の詳細な説明】
【技術分野】
【０００１】
本発明は、ボイラ火炉の壁面に設けられ、木質ペレットや木質チップ等の木質系バイオマス燃料を燃焼させるバイオマスバーナ及びボイラ装置に関するものである。
【背景技術】
【０００２】
現在、ボイラの固形燃料として使用されているのは、主に石炭であるが、ＣＯ2 の削減対策として、再生可能で環境負荷の少ない木質系バイオマスを燃料とする等の燃料の多様化が検討されている。
【０００３】
従来は、木質系バイオマスを燃料とする場合、ミルにて石炭と木質系バイオマスとを混合粉砕し、石炭と木質系バイオマスを混合させた粉砕物をバーナに送給し燃料としている。近年では木質系バイオマス燃料の混合比率を増大させることが要請されている。
【０００４】
然し乍ら、混合粉砕の場合、混合比率を増大させるには限界があり、木質系バイオマスを大量に粉砕することができないことから、木質系バイオマスをバーナの燃料として充分に供給できない。更に、石炭と木質系バイオマスとでは燃焼特性が異なる為、木質系バイオマスの比率を増大させると燃焼が不安定となる虞れがあった。
【０００５】
尚、特許文献１には、ローラミルによりバイオマスを単独で粉砕し、粉砕したバイオマスを別途ローラミルを用いて粉砕した微粉炭と混合させ、或は微粉炭とは別個のバーナにバイオマスを単独で供給し、燃焼させるバーナが開示されている。
【先行技術文献】
【特許文献】
【０００６】
【特許文献１】特開２０１０−２４２９９９号公報
【発明の概要】
【発明が解決しようとする課題】
【０００７】
本発明は斯かる実情に鑑み、簡易な構造で木質系バイオマスを火炉に大量に供給可能なバイオマスバーナ及びボイラ装置を提供するものである。
【課題を解決するための手段】
【０００８】
本発明は、火炉の炉壁に設けられ、バイオマスを噴出するノズル部と、該ノズル部を支持するバーナ支持部とを具備し、バイオマスは１次空気に排ガスが混合されたバイオマス用搬送媒体により前記ノズル部に搬送されるバイオマスバーナに係るものである。
【０００９】
又本発明は、バイオマスは、前記ノズル部に接線方向から流入するバイオマスバーナに係り、又前記ノズル部の先端部にスワラーを設け、該スワラーによりバイオマスが拡散されるバイオマスバーナに係るものである。
【００１０】
又本発明は、前記バイオマスバーナと、微粉炭を燃焼させる微粉炭バーナとが少なくとも上下２段に設けられ、１次空気の一部を前記微粉炭バーナに微粉炭を送給する微粉炭用搬送媒体とすると共に、１次空気の他部を前記バイオマスバーナに供給する１次空気供給系と、前記火炉より排出される排ガスの一部を抽出し、前記１次空気の他部に混合させ、前記バイオマスバーナにバイオマスを送給するバイオマス用搬送媒体とする排ガス循環系とを具備するボイラ装置に係るものである。
【００１１】
又本発明は、前記微粉炭バーナが上段に設けられ、前記バイオマスバーナが下段に設けられるボイラ装置に係るものである。
【００１２】
又本発明は、前記バイオマスバーナ及び前記微粉炭バーナの燃焼比率を制御する制御装置を更に具備し、該制御装置は前記火炉の燃焼比率を維持しつつ、前記バイオマスバーナの燃焼比率の増加に応じて前記微粉炭バーナの燃焼比率を減少させるボイラ装置に係り、更に又前記炉壁に設けられ、前記火炉内に２次空気を供給可能なオーバーエアポートを更に具備するボイラ装置に係るものである。
【発明の効果】
【００１３】
本発明によれば、火炉の炉壁に設けられ、バイオマスを噴出するノズル部と、該ノズル部を支持するバーナ支持部とを具備し、バイオマスは１次空気に排ガスが混合されたバイオマス用搬送媒体により前記ノズル部に搬送されるので、バイオマスを燃焼させる為の燃焼用空気を供給する機構を必要とせず、構造の簡易化及び製作コストの低減を図ることができる。
【００１４】
又本発明によれば、前記バイオマスバーナと、微粉炭を燃焼させる微粉炭バーナとが少なくとも上下２段に設けられ、１次空気の一部を前記微粉炭バーナに微粉炭を送給する微粉炭用搬送媒体とすると共に、１次空気の他部を前記バイオマスバーナに供給する１次空気供給系と、前記火炉より排出される排ガスの一部を抽出し、前記１次空気の他部に混合させ、前記バイオマスバーナにバイオマスを送給するバイオマス用搬送媒体とする排ガス循環系とを具備するので、前記バイオマス用搬送媒体の酸素濃度をバイオマスの発火を防止する為の酸素濃度とすることで、安全にバイオマスを搬送することができると共に、還元雰囲気で、バイオマス燃焼を行うことができ、火炉より排出される排ガスの低ＮＯｘ化を図ることができるという優れた効果を発揮する。
【図面の簡単な説明】
【００１５】
【図１】本発明の実施例に係るボイラ装置を示す概略構成図である。
【図２】該ボイラ装置に用いられるバイオマスバーナの一例を示す概略断面図である。
【図３】該バイオマスバーナの斜視図であり、（Ａ）は後方から見たバイオマスバーナの斜視図を示し、（Ｂ）は前方から見たバイオマスバーナの斜視図を示している。
【図４】（Ａ）は所定条件下に於ける木質系バイオマスと微粉炭の揮発過程を示すグラフであり、（Ｂ）は所定条件下に於ける木質系バイオマスと微粉炭の燃焼過程を示すグラフである。
【発明を実施するための形態】
【００１６】
以下、図面を参照しつつ本発明の実施例を説明する。
【００１７】
先ず、図１に於いて、本発明の実施例に係るボイラ装置１０について説明する。
【００１８】
図１中、１は火炉を示している。該火炉１の炉壁には、上下方向に複数段、例えば４段にバーナが配設されると共に、該バーナは水平方向（図１中の紙面に対して垂直な方向）に所定ピッチで配設されており、上２段がバイオマスバーナ２、下２段が微粉炭バーナ３となっている。又、前記火炉１の炉壁には、所定箇所に所定数、例えば上段の微粉炭バーナ３と下段のバイオマスバーナ２の間と、上段のバイオマスバーナ２の上方の２箇所に前記火炉１内に直接２次空気を供給するオーバーエアポート４が配設されている。
【００１９】
本発明の実施例に係る前記ボイラ装置１０に於いては、例えば１つの前記微粉炭バーナ３につき２５ｃａｌ．％の燃焼比率が確保できると共に、１つの前記バイオマスバーナ２につき１２．５ｃａｌ．％の燃焼比率を確保でき、上下２段の前記微粉炭バーナ３のみにより１００ｃａｌ．％の燃焼比率が確保できる様になっている。又、上下２段の前記バイオマスバーナ２により、５０ｃａｌ．％の燃焼比率が得られる様になっている。
【００２０】
尚、前記バイオマスバーナ２及び前記微粉炭バーナ３は、上下３段以上配設されていてもよい。
【００２１】
又、図１中、５は排ガスの余熱を熱源とした熱交換器、６はバイオマスミル、７は微粉炭ミル、８は１次空気２０を送出する１次空気送風機、９は２次空気を送出する２次空気送風機、１１は排ガスを排出する排ガス送風機、１２は制御装置を示している。
【００２２】
１次空気送風ダクト１３は前記熱交換器５を介して前記バイオマスミル６及び前記微粉炭ミル７に接続され、前記熱交換器５で所定温度、例えば２００°に加熱された１次空気２０を前記バイオマスミル６及び前記微粉炭ミル７に導くものである。
【００２３】
前記１次空気送風ダクト１３の上流端には前記１次空気送風機８が設けられ、又途中でバイオマスミル側ダクト１３ａと微粉炭ミル側ダクト１３ｂに分岐する。前記バイオマスミル側ダクト１３ａの下流端は前記バイオマスミル６に接続されると共に、前記バイオマスミル側ダクト１３ａの、該バイオマスミル側ダクト１３ａと前記微粉炭ミル側ダクト１３ｂとの分岐点より下流に第１流量調整弁１４が設けられる。前記微粉炭ミル側ダクト１３ｂの下流端は前記微粉炭ミル７に接続されている。尚、前記１次空気送風機８、前記１次空気送風ダクト１３とで１次空気供給系が構成される。
【００２４】
前記バイオマスミル６は、木質チップ、木質ペレット等の木質系バイオマスを細粉体に粉砕し、１次空気２０と排ガスとの混合流をバイオマス用搬送媒体とし、粉砕したバイオマスをバイオマス供給管１５を介して前記バイオマスバーナ２に個別に送給する。又、前記バイオマス供給管１５には第１カットダンパ１７が設けられ、該第１カットダンパ１７により前記バイオマス供給管１５を個別に遮断、開放が可能となっており、前記バイオマスバーナ２に対して独立して木質系バイオマスの送給停止が行える様になっている。
【００２５】
尚、図１中では、１つの前記バイオマスミル６により粉砕された木質系バイオマスが、２段の前記バイオマスバーナ２，２の両方に供給される様になっているが、該バイオマスバーナ２に対応してそれぞれ前記バイオマスミル６が設けられ、前記バイオマスバーナ２にはそれぞれ前記バイオマス供給管１５、前記バイオマスミル６が個別に接続されているものとする。
【００２６】
前記微粉炭ミル７は、塊状の石炭を微粉炭に粉砕し、１次空気２０を微粉炭用搬送媒体として微粉炭供給管１８を介して微粉炭混合流を前記微粉炭バーナ３に個別に送給する。又、前記微粉炭供給管１８には第２カットダンパ１９が設けられ、該第２カットダンパ１９により前記微粉炭供給管１８を個別に遮断、開放が可能となっており、前記微粉炭バーナ３に対して独立して微粉炭の送給停止が行える様になっている。
【００２７】
尚、図１中では、１つの前記微粉炭ミル７により粉砕された微粉炭が、２段の前記微粉炭バーナ３，３の両方に供給される様になっているが、該微粉炭バーナ３に対応してそれぞれ前記微粉炭ミル７が設けられ、前記微粉炭バーナ３にはそれぞれ前記微粉炭供給管１８、前記微粉炭ミル７が個別に接続されているものとする。
【００２８】
２次空気の供給路である２次空気送風ダクト２１は、上流端が前記熱交換器５を介して前記２次空気送風機９に接続され、下流端が各微粉炭バーナ３に接続されている。前記２次空気送風機９から送出された２次空気は、燃焼用空気として前記２次空気送風ダクト２１を経て前記微粉炭バーナ３に供給される。
【００２９】
尚、図示はしないが、前記２次空気送風機９と各オーバーエアポート４が配管を介して接続され、前記オーバーエアポート４より前記火炉１内に２次空気を供給できる様になっている。
【００３０】
前記２次空気送風ダクト２１の前記熱交換器５の下流側には、第２流量調整弁２２が設けられており、該第２流量調整弁２２は複数の前記微粉炭バーナ３に供給される２次空気の供給停止、更に流量調整を一括して行う。
【００３１】
又、前記火炉１の煙道２３には排ガス導管２４の上流端が接続され、該排ガス導管２４の下流端は前記バイオマスミル側ダクト１３ａの前記第１流量調整弁１４よりも下流側に接続されている。前記排ガス導管２４には第３流量調整弁２５が設けられており、前記排ガス導管２４と前記第３流量調整弁２５とで排ガス循環系が構成される。前記排ガス導管２４は前記熱交換器５により熱交換される前の高温且つ低酸素濃度の排ガスを前記煙道２３から抽出し、前記バイオマスミル側ダクト１３ａを流通する１次空気２０に混合できる様になっている。
【００３２】
ここで、排ガスが混合される前の１次空気２０の温度、即ち前記熱交換器５により加熱された１次空気２０の温度は２００℃程度であり、酸素濃度は２１％程度である。又、抽出された排ガスの温度は１５０℃〜３００℃程度であり、酸素濃度は３．５％程度である。
【００３３】
前記制御装置１２には、ボイラ装置１０本体の総合的な制御を行う主制御装置（図示せず）からボイラ負荷状態に応じた燃焼状態を要求する燃焼制御指令が入力され、前記制御装置１２は燃焼制御指令に基づき前記バイオマスミル６、前記微粉炭ミル７、前記第１流量調整弁１４、前記第１カットダンパ１７、前記第２カットダンパ１９、前記第２流量調整弁２２、前記第３流量調整弁２５を所定のタイミングで駆動、開閉を制御し、前記バイオマスバーナ２及び前記微粉炭バーナ３の燃焼状態を制御する。
【００３４】
尚、前記バイオマスミル側ダクト１３ａの前記排ガス導管２４との合流地点の下流側には、温度検知器２６及び酸素濃度検知器２７が設けられている。前記温度検知器２６は前記バイオマスミル側ダクト１３ａを流通するバイオマス用搬送媒体の温度を検出し、前記酸素濃度検知器２７は前記バイオマス用搬送媒体の酸素濃度を検出し、各検出結果が前記制御装置１２に送出される。該制御装置１２は、前記温度検知器２６及び前記酸素濃度検知器２７からの信号に基づき、所定の温度、例えば２００℃〜３００℃程度となる様、又所定の酸素濃度、例えば酸素濃度が１４％未満となる様、前記第１流量調整弁１４及び前記第３流量調整弁２５の開度を制御する様になっている。
【００３５】
図２、図３（Ａ）（Ｂ）は、本実施例に用いられる前記バイオマスバーナ２の一例を示している。以下、図２、図３（Ａ）（Ｂ）を参照して前記バイオマスバーナ２の概略を説明する。
【００３６】
前記火炉１の炉壁２８の反火炉側には円筒又は略円筒形状のバーナ支持部２９が取付けられ、該バーナ支持部２９の内部を貫通する様に前記バイオマスバーナ２が前記バーナ支持部２９と同心に設けられている。前記バイオマスバーナ２は先端に向って漸次縮径する円筒状のノズル部３１を有し、該ノズル部３１は中途部が前記バーナ支持部２９に支持され、先端は前記火炉１内に開口している。又、前記ノズル部３１の内部には前記火炉１側側端が開放されたバイオマス導通空間３２が形成される。
【００３７】
又、前記バイオマスバーナ２の基部（反火炉側の端部）には、前記バイオマス供給管１５が連通し、先端部にはスワラー３３が設けられている。前記バイオマス導通空間３２には、前記バイオマス供給管１５を介してバイオマス用搬送媒体とバイオマス細粉体との混合流であるバイオマス流１６が接線方向から流入する様になっている。該バイオマス流１６は前記バイオマス導通空間３２内を旋回しながら先端側へと流動し、更に前記スワラー３３により拡散され、前記火炉１内に噴出される。
【００３８】
次に、本発明に係る実施例の作用について説明する。
【００３９】
先ず、前記制御装置１２により前記第２流量調整弁２２が開放されると共に、前記微粉炭バーナ３が有する図示しない補助燃焼用バーナ、例えばオイルバーナ、或はガスバーナを用い、油燃焼、或はガス燃焼による予熱が行われ、前記火炉１内の温度を上昇させる。
【００４０】
該火炉１内の温度が十分に上昇された後、前記制御装置１２により補助燃焼用バーナによる燃焼を停止し、前記微粉炭ミル７を駆動させると共に、前記第２カットダンパ１９を開放し、微粉炭用搬送媒体により前記微粉炭バーナ３へ微粉炭を供給する。その後、微粉炭と２次空気による微粉炭燃焼へと前記微粉炭バーナ３の燃焼状態が切替えられる。
【００４１】
この時、前記火炉１内では全ての微粉炭バーナ３にて微粉炭燃焼が行われており、４つの微粉炭バーナ３により１００ｃａｌ．％の燃焼比率が確保されている。
【００４２】
この状態に於いて、前記排ガス導管２４を介して１次空気２０と混合された排ガスとの混合流であるバイオマス用搬送媒体は、温度が１５０℃〜３００℃、酸素濃度が１４％未満となる様、前記制御装置１２により前記第１流量調整弁１４及び前記第３流量調整弁２５の開度が調整され、前記バイオマスミル６へと供給される。
【００４３】
又、前記制御装置１２により前記バイオマスミル６が駆動されると共に前記第１カットダンパ１７が開放され、該バイオマスミル６にてバイオマス細粉体へと粉砕された木質系バイオマスは、前記バイオマス用搬送媒体にて搬送され、前記バイオマス流１６として前記バイオマスバーナ２に供給される。
【００４４】
該バイオマスバーナ２に供給された前記バイオマス流１６は、接線方向から前記バイオマス導通空間３２に流入し、旋回しながら該バイオマス導通空間３２内を先端に向って流動し、該バイオマス導通空間３２の先端より前記スワラー３３にて拡散され、前記火炉１内へと噴出される。
【００４５】
この時、前記火炉１の下段では前記微粉炭バーナ３による微粉炭燃焼が行われており、高温となっている領域にバイオマス細粉体が噴出されることで、バイオマス細粉体は瞬時にガス化し、バイオマス用搬送媒体及び微粉炭燃焼で残った空気と反応して燃焼（バイオマス燃焼）する。
【００４６】
又この時、前記バイオマス用搬送媒体は１５０℃〜３００℃と高温である為、木質系バイオマスが水分を含んでいた場合であっても、前記バイオマスミル６での粉砕過程、或は前記バイオマス供給管１５を流通し、前記バイオマスバーナ２に供給される途中の搬送過程に於いてバイオマス細粉体を十分に乾燥させることができ、安全に搬送することができる。
【００４７】
尚、前記バイオマス用搬送媒体の温度は、前記バイオマスミル６にて粉砕される木質系バイオマスの水分含有量に応じて調整される様にしてもよい。
【００４８】
又、前記バイオマス用搬送媒体は酸素濃度を１４％未満の低酸素濃度としているので、前記バイオマスミル６内、或は前記バイオマス供給管１５内にてバイオマス細粉体が自然発火するのが防止される。
【００４９】
前記バイオマスバーナ２によるバイオマス燃焼が開始された後は、前記火炉１全体で１００ｃａｌ．％の燃焼比率を維持できる様、前記バイオマスバーナ２の燃焼比率に応じて前記微粉炭バーナ３の燃焼比率を漸次減少させ、最終的には前記微粉炭バーナ３の一部を消火する。
【００５０】
尚、該微粉炭バーナ３を消火することで、微粉炭燃焼の為の２次空気の供給が停止されると、前記火炉１内にバイオマス燃焼を行う為の酸素が不足する場合がある。この場合には、前記オーバーエアポート４より別途２次空気を供給することで、バイオマス燃焼に必要な酸素量が確保される。又、前記微粉炭バーナ３からの２次空気供給を部分的に継続することで、バイオマス燃焼に必要な酸素を供給する様にしてもよい。
【００５１】
図４（Ａ）は、１４００℃、０％酸素雰囲気下に於ける木質系バイオマス３４と微粉炭３５の揮発過程を示したグラフであり、木質系バイオマス３４は３００ｍｓｅｃ程度で略全てが気化（ガス化）しているのが分る。
【００５２】
又、図４（Ｂ）は、１２００℃、７．４％酸素雰囲気下に於ける木質系バイオマス３４と微粉炭３５の燃焼過程を示したグラフであり、微粉炭３５が完全に燃尽きる迄に１３００ｍｓｅｃ以上の時間を要しているのに対し、木質系バイオマス３４が３５０ｍｓｅｃ程度で完全に燃尽きているのが分る。
【００５３】
従って、十分に加熱された前記火炉１内に噴出されたバイオマス細粉体は、前記火炉１内で僅かな時間でガス化し、ガス化したバイオマス細粉体は低酸素雰囲気化、例えば７．４％酸素雰囲気下に於いても僅かな時間で完全に燃焼させることができる。
【００５４】
即ち、前記微粉炭バーナ３で微粉炭燃焼が行われた後の、２次空気に残った酸素により還元雰囲気でバイオマス細粉体の燃焼を行うことができる為、前記バイオマスバーナ２にバイオマス流１６と共に燃焼用の２次空気を供給する機構を設ける必要がなくなり、前記バイオマスバーナ２の簡易化及び製作コストの低減を図ることができる。
【００５５】
又、該バイオマスバーナ２は、前記バイオマス流１６のみを前記火炉１内に供給する構造となっているので、微粉炭３５と木質系バイオマス３４の燃焼特性の差異を考慮する必要がなく、木質系バイオマス３４を前記火炉１内に大量に噴出させることができる。
【００５６】
又、前記バイオマスバーナ２を前記火炉１の上段側に設け、前記微粉炭バーナ３を前記火炉１の下段側に設けたことで、微粉炭燃焼に必要な酸素量及び微粉炭３５が完全に燃尽きる迄に必要な滞留時間を確保しつつ、バイオマス燃焼を行うことができる。
【００５７】
更に、本実施例の前記ボイラ装置１０では、１００ｃａｌ．％の燃焼比率を確保しつつ、漸次微粉炭燃焼からＮＯｘ排出量の少ないバイオマス燃焼へと切替える様にしているので、前記火炉１より排出される排ガスの低ＮＯｘ化を図ることができる。
【００５８】
尚、本実施例では、微粉炭燃焼により１００ｃａｌ．％の燃焼比率を確保した後に、微粉炭燃焼を漸次バイオマス燃焼に移行させる構成としているが、油燃焼、或はガス燃焼による予熱が完了した後に、微粉炭燃焼とバイオマス燃焼を並行して開始してもよいことは言う迄もない。
【００５９】
又、本実施例では、十分な酸素量及び滞留時間を確保する為、前記バイオマスバーナ２を上段に配置し、前記微粉炭バーナ３を下段に配置しているが、木質系バイオマスの燃焼比率が大きく、微粉炭の燃焼比率が小さい等、木質系バイオマスの燃焼により多くの酸素量及び滞留時間を必要とする場合には、前記微粉炭バーナ３を上段に配置し、前記バイオマスバーナ２を下段に配置してもよい。
【符号の説明】
【００６０】
１              火炉
２              バイオマスバーナ
３              微粉炭バーナ
４              オーバーエアポート
６              バイオマスミル
７              微粉炭ミル
１０            ボイラ装置
１２            制御装置
１３            １次空気送風ダクト
１４            第１流量調整弁
１５            バイオマス供給管
２０            １次空気
２３            煙道
２４            排ガス導管
２５            第３流量調整弁
２９            バーナ支持部
３１            ノズル部
３３            スワラー
【図１】
2013108717.tif 000003
【図２】
2013108717.tif 000004
【図３】
2013108717.tif 000005
【図４】
2013108717.tif 000006